(57)【要約】【課題】本発明は調節可能な顔面マスクを開示した。【解決手段】本体を含み、回転ブロックを回転させてネジ棒を回転連動させ、ネジ棒が回転してネジ山ブロックを移動連動させ、ネジ山ブロックが移動して綿ローンを移動連動させ、綿ローンと鼻との間の隙間を調節し、空気流入機構は顔面マスクの開口の大きさを調節することを通じて空気流入量を調節でき、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止できる。【選択図】図１
2020175084.tif 000002
【特許請求の範囲】
【請求項１】
本体を含み、前記本体の前側端面には鼻間隙間を調節できる調節機構が左右に対称的に設置され、前記調節機構は前記本体の前側端面に固定的に装着された調節箱を含み、前記調節箱の中にはネジ山チャンバが設置され、前記ネジ山チャンバの中にはネジ山ブロックがスライドできるように装着され、前記ネジ山ブロックには綿ローンが固定的に装着され、前記綿ローンは前記ネジ山ブロックに連動して左右に移動して前記綿ローンと鼻との間の隙間を調節でき、前記本体の左右両側には前記本体の長さを調節できる伸長機構が設置され、前記伸長機構には前記本体の中に設置され且つ後に開いた位置制限チャンバが含まれ、前記位置制限チャンバの中には伸長板がスライドできるように装着され、前記伸長板の頂部端面には位置制限ブロックが固定的に装着され、前記位置制限チャンバの頂壁には引掛り溝が連通するように設置され、前記引掛り溝の中には引掛りブロックがスライドできるように装着され、前記引掛りブロックを上下にスライドするように制御することで、前記伸長板の前記位置制限チャンバでのスライドする距離を調節して前記本体の長さを調節でき、前記本体の前側端面において前記調節機構の下方には空気流入量を調節できる空気流入機構が設置され、前記空気流入機構は前記本体の前側端面に固定的に装着された空気流入箱を含み、前記空気流入箱の中には前記本体に連通した空気流入チャンバが設置され、前記空気流入チャンバの右側内壁の中には前記空気流入箱の左側端面を貫通した伝動棒が回転できるように装着され、前記空気流入チャンバにおいて前記伝動棒の上下両側には連結棒が回転できるように装着され、前記伝動棒と前記連結棒とを回すことで空気流入量を調節できることを特徴とする調節可能な顔面マスク。
【請求項２】
左側の前記調節機構を例とすれば、前記調節機構にはまた前記ネジ山ブロックの中に設置され且つ左に開いたネジ穴が含まれ、前記ネジ穴の中にはネジ棒がネジ山によって装着され、前記ネジ棒が左に伸びて前記調節箱の左側端面を貫通しており、前記ネジ棒の左側端面には回転ブロックが固定的に装着され、
前記回転ブロックを回転させて前記ネジ棒を回転連動させ、前記ネジ棒が回転して前記ネジ山ブロックを移動連動させ、前記ネジ山ブロックが移動して前記綿ローンを移動連動させ、前記綿ローンと鼻との間の隙間を調節することを特徴とする請求項１に記載の調節可能な顔面マスク。
【請求項３】
前記伸長機構はまた前記伸長板の後側端面に固定的に装着された連結布を含み、前記連結布の中には着用穴が設置され、前記引掛り溝の後側には歯車チャンバが連通するように設置され、前記歯車チャンバの左右内壁の間には回転棒が回転できるように装着され、前記回転棒には第一歯車が固定的に装着され、前記第一歯車と前記引掛りブロックとが噛み合っており、前記歯車チャンバの後側にはスライドチャンバが連通するように設置され、前記スライドチャンバの中にはスライドブロックがスライドできるように装着され、前記スライドブロックと前記第一歯車とが噛み合っており、前記スライドチャンバの頂壁にはプッシュチャンバが連通するように設置され、前記スライドブロックが上に伸びて前記プッシュチャンバの底壁を貫通しており、前記スライドブロックの頂部端面にはプッシュブロックが固定的に装着され、前記プッシュブロックの底部端面と前記プッシュチャンバの底壁との間には撥条が固定的に装着され、
前記プッシュブロックを押し、前記スライドブロックを下に移動連動させ、前記スライドブロックが噛合によって前記第一歯車を回転連動させ、前記第一歯車が回転して前記引掛りブロックを上に移動連動させ、前記連結布を引き動かして前記伸長板を後に移動連動させ、前記プッシュブロックを放し、前記引掛りブロックと前記位置制限ブロックとが引っ掛ることを特徴とする請求項１に記載の調節可能な顔面マスク。
【請求項４】
前記空気流入機構はまた前記空気流入チャンバの左側に設置された噛合チャンバを含み、前記連結棒が左に伸びて前記噛合チャンバの右側内壁を貫通しており、前記伝動棒において前記噛合チャンバの中には第二歯車が固定的に装着され、前記連結棒の左側端面には第三歯車が固定的に装着され、前記第三歯車と前記第二歯車とが噛み合っており、前記伝動棒の左側端面にはノブが固定的に装着され、前記連結棒と前記伝動棒において前記空気流入チャンバの中には制御板が固定的に装着され、
前記ノブを回して前記伝動棒を回転連動させ、前記伝動棒が回転して前記第二歯車を回転連動させ、前記第二歯車が噛合によって前記第三歯車を回転連動させ、前記第三歯車が回転して前記連動棒を回転連動させて前記制御板を回転させ、前記空気流入チャンバの開口の大きさを調節し、空気入流量を調節することを特徴とする請求項１に記載の調節可能な顔面マスク。
【発明の詳細な説明】
【技術分野】
【０００１】
本発明は生活用品分野に関し、具体的には調節可能な顔面マスクである。
【背景技術】
【０００２】
人々は出かける時、よく顔面マスクをつける。一般的な顔面マスクは、マスクと鼻の間の隙間を調節できず、メガネを掛けている人にとって、呼吸時の熱い息が隙間を通してレンズを霞ませ、視界が悪くなる上に、マスクの長さも調節できず、着用時耳が擦られて苦しんでいる人もいるのだろう。また、空気流入量も調節できないため、緊急事態に合う時、マスクを密封できない。
【先行技術文献】
【特許文献】
【０００３】
【特許文献１】中国特許出願公開第１０７９５２１５３号明細書
【発明の概要】
【発明が解決しようとする課題】
【０００４】
本発明の目的は調節可能な顔面マスクを提供し、上記の現在の技術中の問題を解決するのである。
【課題を解決するための手段】
【０００５】
本発明は以下の技術プランを通じて実現される：本発明の調節可能な顔面マスクは、本体を含み、前記本体の前側端面には鼻間隙間を調節できる調節機構が左右に対称的に設置され、前記調節機構は前記本体の前側端面に固定的に装着された調節箱を含み、前記調節箱の中にはネジ山チャンバが設置され、前記ネジ山チャンバの中にはネジ山ブロックがスライドできるように装着され、前記ネジ山ブロックには綿ローンが固定的に装着され、前記綿ローンは前記ネジ山ブロックに連動して左右に移動して前記綿ローンと鼻との間の隙間を調節でき、前記本体の左右両側には前記本体の長さを調節できる伸長機構が設置され、前記伸長機構には前記本体の中に設置され且つ後に開いた位置制限チャンバが含まれ、前記位置制限チャンバの中には伸長板がスライドできるように装着され、前記伸長板の頂部端面には位置制限ブロックが固定的に装着され、前記位置制限チャンバの頂壁には引掛り溝が連通するように設置され、前記引掛り溝の中には引掛りブロックがスライドできるように装着され、前記引掛りブロックを上下にスライドするように制御することで、前記伸長板の前記位置制限チャンバでのスライドする距離を調節して前記本体の長さを調節でき、前記本体の前側端面において前記調節機構の下方には空気流入量を調節できる空気流入機構が設置され、前記空気流入機構は前記本体の前側端面に固定的に装着された空気流入箱を含み、前記空気流入箱の中には前記本体に連通した空気流入チャンバが設置され、前記空気流入チャンバの右側内壁の中には前記空気流入箱の左側端面を貫通した伝動棒が回転できるように装着され、前記空気流入チャンバにおいて前記伝動棒の上下両側には連結棒が回転できるように装着され、前記伝動棒と前記連結棒とを回すことで空気流入量を調節できる。
【０００６】
さらなる技術プランとして、左側の前記調節機構を例とすれば、前記調節機構にはまた前記ネジ山ブロックの中に設置され且つ左に開いたネジ穴が含まれ、前記ネジ穴の中にはネジ棒がネジ山によって装着され、前記ネジ棒が左に伸びて前記調節箱の左側端面を貫通しており、前記ネジ棒の左側端面には回転ブロックが固定的に装着される。
【０００７】
さらなる技術プランとして、前記伸長機構はまた前記伸長板の後側端面に固定的に装着された連結布を含み、前記連結布の中には着用穴が設置され、前記引掛り溝の後側には歯車チャンバが連通するように設置され、前記歯車チャンバの左右内壁の間には回転棒が回転できるように装着され、前記回転棒には第一歯車が固定的に装着され、前記第一歯車と前記引掛りブロックとが噛み合っており、前記歯車チャンバの後側にはスライドチャンバが連通するように設置され、前記スライドチャンバの中にはスライドブロックがスライドできるように装着され、前記スライドブロックと前記第一歯車とが噛み合っており、前記スライドチャンバの頂壁にはプッシュチャンバが連通するように設置され、前記スライドブロックが上に伸びて前記プッシュチャンバの底壁を貫通しており、前記スライドブロックの頂部端面にはプッシュブロックが固定的に装着され、前記プッシュブロックの底部端面と前記プッシュチャンバの底壁との間には撥条が固定的に装着される。
【０００８】
さらなる技術プランとして、前記空気流入機構はまた前記空気流入チャンバの左側に設置された噛合チャンバを含み、前記連結棒が左に伸びて前記噛合チャンバの右側内壁を貫通しており、前記伝動棒において前記噛合チャンバの中には第二歯車が固定的に装着され、前記連結棒の左側端面には第三歯車が固定的に装着され、前記第三歯車と前記第二歯車とが噛み合っており、前記伝動棒の左側端面にはノブが固定的に装着され、前記連結棒と前記伝動棒において前記空気流入チャンバの中には制御板が固定的に装着される。
【発明の効果】
【０００９】
本発明の有益効果は：本発明は空気流入機構は顔面マスクの開口の大きさを調節することを通じて空気流入量を調節でき、使用者の方は自由に空気流入量を調えられ、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止でき、普及に値する。
【図面の簡単な説明】
【００１０】
【図１】図１は本発明の構成略図
【図２】図２は図１のＡ―Ａ方向の断面構成略図
【図３】図３は図１のＢの拡大略図
【発明を実施するための形態】
【００１１】
以下に図１−３を交えて本発明について詳しく説明し、便利に叙述するため、後文に出る方位を下記の通りに規定する：後文に出る上下左右前後方向は図１本体の投影関係の上下左右前後方向と一致する。
【００１２】
図１−３を参照し、本発明の調節可能な顔面マスクは、本体１１を含み、前記本体１１の前側端面には鼻間隙間を調節できる調節機構７０が左右に対称的に設置され、前記調節機構７０は前記本体１１の前側端面に固定的に装着された調節箱１８を含み、前記調節箱１８の中にはネジ山チャンバ１４が設置され、前記ネジ山チャンバ１４の中にはネジ山ブロック１５がスライドできるように装着され、前記ネジ山ブロック１５には綿ローン１６が固定的に装着され、前記綿ローン１６は前記ネジ山ブロック１５に連動して左右に移動して前記綿ローン１６と鼻との間の隙間を調節でき、前記本体１１の左右両側には前記本体１１の長さを調節できる伸長機構９０が設置され、前記伸長機構９０には前記本体１１の中に設置され且つ後に開いた位置制限チャンバ２４が含まれ、前記位置制限チャンバ２４の中には伸長板２１がスライドできるように装着され、前記伸長板２１の頂部端面には位置制限ブロック３３が固定的に装着され、前記位置制限チャンバ２４の頂壁には引掛り溝２５が連通するように設置され、前記引掛り溝２５の中には引掛りブロック２６がスライドできるように装着され、前記引掛りブロック２６を上下にスライドするように制御することで、前記伸長板２１の前記位置制限チャンバ２４でのスライドする距離を調節して前記本体１１の長さを調節でき、前記本体１１の前側端面において前記調節機構７０の下方には空気流入量を調節できる空気流入機構８０が設置され、前記空気流入機構８０は前記本体１１の前側端面に固定的に装着された空気流入箱４０を含み、前記空気流入箱４０の中には前記本体１１に連通した空気流入チャンバ３９が設置され、前記空気流入チャンバ３９の右側内壁の中には前記空気流入箱４０の左側端面を貫通した伝動棒３４が回転できるように装着され、前記空気流入チャンバ３９において前記伝動棒３４の上下両側には連結棒４２が回転できるように装着され、前記伝動棒３４と前記連結棒４２とを回すことで空気流入量を調節できる。
【００１３】
左側の前記調節機構７０を例とすれば、前記調節機構７０にはまた前記ネジ山ブロック１５の中に設置され且つ左に開いたネジ穴１７が含まれ、前記ネジ穴１７の中にはネジ棒１３がネジ山によって装着され、前記ネジ棒１３が左に伸びて前記調節箱１８の左側端面を貫通しており、前記ネジ棒１３の左側端面には回転ブロック１２が固定的に装着され、
回転ブロック１２を回転させてネジ棒１３を回転連動させ、ネジ棒１３が回転してネジ山ブロック１５を移動連動させ、ネジ山ブロック１５が移動して綿ローン１６を移動連動させ、綿ローン１６と鼻との間の隙間を調節する。
【００１４】
前記伸長機構９０はまた前記伸長板２１の後側端面に固定的に装着された連結布１９を含み、前記連結布１９の中には着用穴２０が設置され、前記引掛り溝２５の後側には歯車チャンバ２３が連通するように設置され、前記歯車チャンバ２３の左右内壁の間には回転棒２８が回転できるように装着され、前記回転棒２８には第一歯車２７が固定的に装着され、前記第一歯車２７と前記引掛りブロック２６とが噛み合っており、前記歯車チャンバ２３の後側にはスライドチャンバ２２が連通するように設置され、前記スライドチャンバ２２の中にはスライドブロック３２がスライドできるように装着され、前記スライドブロック３２と前記第一歯車２７とが噛み合っており、前記スライドチャンバ２２の頂壁にはプッシュチャンバ２９が連通するように設置され、前記スライドブロック３２が上に伸びて前記プッシュチャンバ２９の底壁を貫通しており、前記スライドブロック３２の頂部端面にはプッシュブロック３０が固定的に装着され、前記プッシュブロック３０の底部端面と前記プッシュチャンバ２９の底壁との間には撥条３１が固定的に装着され、
プッシュブロック３０を押し、スライドブロック３２を下に移動連動させ、スライドブロック３２が噛合によって第一歯車２７を回転連動させ、第一歯車２７が回転して引掛りブロック２６を上に移動連動させ、連結布１９を引き動かして伸長板２１を後に移動連動させ、プッシュブロック３０を放し、引掛りブロック２６と位置制限ブロック３３とが引っ掛る。
【００１５】
前記空気流入機構８０はまた前記空気流入チャンバ３９の左側に設置された噛合チャンバ３８を含み、前記連結棒４２が左に伸びて前記噛合チャンバ３８の右側内壁を貫通しており、前記伝動棒３４において前記噛合チャンバ３８の中には第二歯車３６が固定的に装着され、前記連結棒４２の左側端面には第三歯車３７が固定的に装着され、前記第三歯車３７と前記第二歯車３６とが噛み合っており、前記伝動棒３４の左側端面にはノブ３５が固定的に装着され、前記連結棒４２と前記伝動棒３４において前記空気流入チャンバ３９の中には制御板４１が固定的に装着され、
ノブ３５を回して伝動棒３４を回転連動させ、伝動棒３４が回転して第二歯車３６を回転連動させ、第二歯車３６が噛合によって第三歯車３７を回転連動させ、第三歯車３７が回転して連動棒４２を回転連動させて制御板４１を回転させ、空気流入チャンバ３９の開口の大きさを調節し、空気入流量を調節する。
【００１６】
使用する時、回転ブロック１２を回転させ、ネジ棒１３を回転連動させ、ネジ棒１３が回転してネジ山ブロック１５を移動連動させ、ネジ山ブロック１５が移動して綿ローン１６を移動連動させ、綿ローン１６と鼻との間の隙間を調節し、プッシュブロック３０を押してスライドブロック３２を下に移動連動させ、スライドブロック３２が噛合によって第一歯車２７を回転連動させ、第一歯車２７が回転して引掛りブロック２６を上に移動連動させ、連結布１９を引き動かし、伸長板２１を後に移動連動させ、プッシュブロック３０を放し、引掛りブロック２６と位置制限ブロック３３とが引っかかて止められ、本体１１の長さを調節し、ノブ３５を回し、伝動棒３４を回転連動させ、伝動棒３４が回転して第二歯車３６を回転連動させ、第二歯車３６が噛合によって第三歯車３７を回転連動させ、第三歯車３７が回転して連結棒４２を回転連動させて制御板４１を回転させ、空気流入チャンバ３９の開口の大きさを調節し、空気流入量を調節する。
【００１７】
本発明の有益効果は：本発明は空気流入機構は顔面マスクの開口の大きさを調節することを通じて空気流入量を調節でき、使用者の方は自由に空気流入量を調えられ、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止でき、普及に値する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175084.tif 000003
【図２】
2020175084.tif 000004
【図３】
2020175084.tif 000005
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
本体を含み、前記本体の前側端面には鼻間隙間を調節できる調節機構が左右に対称的に設置され、前記調節機構は前記本体の前側端面に固定的に装着された調節箱を含み、前記調節箱の中にはネジ山チャンバが設置され、前記ネジ山チャンバの中にはネジ山ブロックがスライドできるように装着され、前記ネジ山ブロックには綿ローンが固定的に装着され、前記綿ローンは前記ネジ山ブロックに連動して左右に移動して前記綿ローンと鼻との間の隙間を調節でき、前記本体の左右両側には前記本体の長さを調節できる伸長機構が設置され、前記伸長機構には前記本体の中に設置され且つ後に開いた位置制限チャンバが含まれ、前記位置制限チャンバの中には伸長板がスライドできるように装着され、前記伸長板の頂部端面には位置制限ブロックが固定的に装着され、前記位置制限チャンバの頂壁には引掛り溝が連通するように設置され、前記引掛り溝の中には引掛りブロックがスライドできるように装着され、前記引掛りブロックを上下にスライドするように制御することで、前記伸長板の前記位置制限チャンバでのスライドする距離を調節して前記本体の長さを調節でき、前記本体の前側端面において前記調節機構の下方には空気流入量を調節できる空気流入機構が設置され、前記空気流入機構は前記本体の前側端面に固定的に装着された空気流入箱を含み、前記空気流入箱の中には前記本体に連通した空気流入チャンバが設置され、前記空気流入チャンバの右側内壁の中には前記空気流入箱の左側端面を貫通した伝動棒が回転できるように装着され、前記空気流入チャンバにおいて前記伝動棒の上下両側には連結棒が回転できるように装着され、前記伝動棒と前記連結棒とを回すことで空気流入量を調節できることを特徴とする調節可能な顔面マスク。
【請求項２】
左側の前記調節機構で説明し、前記調節機構にはまた前記ネジ山ブロックの中に設置され且つ左に開いたネジ穴が含まれ、前記ネジ穴の中にはネジ棒がネジ山によって装着され、前記ネジ棒が左に伸びて前記調節箱の左側端面を貫通しており、前記ネジ棒の左側端面には回転ブロックが固定的に装着され、
前記回転ブロックを回転させて前記ネジ棒を回転連動させ、前記ネジ棒が回転して前記ネジ山ブロックを移動連動させ、前記ネジ山ブロックが移動して前記綿ローンを移動連動させ、前記綿ローンと鼻との間の隙間を調節することを特徴とする請求項１に記載の調節可能な顔面マスク。
【請求項３】
前記伸長機構はまた前記伸長板の後側端面に固定的に装着された連結布を含み、前記連結布の中には着用穴が設置され、前記引掛り溝の後側には歯車チャンバが連通するように設置され、前記歯車チャンバの左右内壁の間には回転棒が回転できるように装着され、前記回転棒には第一歯車が固定的に装着され、前記第一歯車と前記引掛りブロックとが噛み合っており、前記歯車チャンバの後側にはスライドチャンバが連通するように設置され、前記スライドチャンバの中にはスライドブロックがスライドできるように装着され、前記スライドブロックと前記第一歯車とが噛み合っており、前記スライドチャンバの頂壁にはプッシュチャンバが連通するように設置され、前記スライドブロックが上に伸びて前記プッシュチャンバの底壁を貫通しており、前記スライドブロックの頂部端面にはプッシュブロックが固定的に装着され、前記プッシュブロックの底部端面と前記プッシュチャンバの底壁との間には撥条が固定的に装着され、
前記プッシュブロックを押し、前記スライドブロックを下に移動連動させ、前記スライドブロックが噛合によって前記第一歯車を回転連動させ、前記第一歯車が回転して前記引掛りブロックを上に移動連動させ、前記連結布を引き動かして前記伸長板を後に移動連動させ、前記プッシュブロックを放し、前記引掛りブロックと前記位置制限ブロックとが引っ掛ることを特徴とする請求項１に記載の調節可能な顔面マスク。
【請求項４】
前記空気流入機構はまた前記空気流入チャンバの左側に設置された噛合チャンバを含み、前記連結棒が左に伸びて前記噛合チャンバの右側内壁を貫通しており、前記伝動棒において前記噛合チャンバの中には第二歯車が固定的に装着され、前記連結棒の左側端面には第三歯車が固定的に装着され、前記第三歯車と前記第二歯車とが噛み合っており、前記伝動棒の左側端面にはノブが固定的に装着され、前記連結棒と前記伝動棒において前記空気流入チャンバの中には制御板が固定的に装着され、
前記ノブを回して前記伝動棒を回転連動させ、前記伝動棒が回転して前記第二歯車を回転連動させ、前記第二歯車が噛合によって前記第三歯車を回転連動させ、前記第三歯車が回転して前記連結棒を回転連動させて前記制御板を回転させ、前記空気流入チャンバの開口の大きさを調節し、空気入流量を調節することを特徴とする請求項１に記載の調節可能な顔面マスク。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には調節可能な顔面マスクである。
【背景技術】
【０００２】
人々は出かける時、よく顔面マスクをつける。一般的な顔面マスクは、マスクと鼻の間の隙間を調節できず、メガネを掛けている人にとって、呼吸時の熱い息が隙間を通してレンズを霞ませ、視界が悪くなる上に、マスクの長さも調節できず、着用時耳が擦られて苦しんでいる人もいるのだろう。また、空気流入量も調節できないため、緊急事態に合う時、マスクを密封できない。
【先行技術文献】
【特許文献】
【０００３】
【特許文献１】中国特許出願公開第１０７９５２１５３号明細書
【発明の概要】
【発明が解決しようとする課題】
【０００４】
本発明の目的は調節可能な顔面マスクを提供し、上記の現在の技術中の問題を解決するのである。
【課題を解決するための手段】
【０００５】
本発明は以下の技術プランを通じて実現される：本発明の調節可能な顔面マスクは、本体を含み、前記本体の前側端面には鼻間隙間を調節できる調節機構が左右に対称的に設置され、前記調節機構は前記本体の前側端面に固定的に装着された調節箱を含み、前記調節箱の中にはネジ山チャンバが設置され、前記ネジ山チャンバの中にはネジ山ブロックがスライドできるように装着され、前記ネジ山ブロックには綿ローンが固定的に装着され、前記綿ローンは前記ネジ山ブロックに連動して左右に移動して前記綿ローンと鼻との間の隙間を調節でき、前記本体の左右両側には前記本体の長さを調節できる伸長機構が設置され、前記伸長機構には前記本体の中に設置され且つ後に開いた位置制限チャンバが含まれ、前記位置制限チャンバの中には伸長板がスライドできるように装着され、前記伸長板の頂部端面には位置制限ブロックが固定的に装着され、前記位置制限チャンバの頂壁には引掛り溝が連通するように設置され、前記引掛り溝の中には引掛りブロックがスライドできるように装着され、前記引掛りブロックを上下にスライドするように制御することで、前記伸長板の前記位置制限チャンバでのスライドする距離を調節して前記本体の長さを調節でき、前記本体の前側端面において前記調節機構の下方には空気流入量を調節できる空気流入機構が設置され、前記空気流入機構は前記本体の前側端面に固定的に装着された空気流入箱を含み、前記空気流入箱の中には前記本体に連通した空気流入チャンバが設置され、前記空気流入チャンバの右側内壁の中には前記空気流入箱の左側端面を貫通した伝動棒が回転できるように装着され、前記空気流入チャンバにおいて前記伝動棒の上下両側には連結棒が回転できるように装着され、前記伝動棒と前記連結棒とを回すことで空気流入量を調節できる。
【０００６】
さらなる技術プランとして、左側の前記調節機構で説明し、前記調節機構にはまた前記ネジ山ブロックの中に設置され且つ左に開いたネジ穴が含まれ、前記ネジ穴の中にはネジ棒がネジ山によって装着され、前記ネジ棒が左に伸びて前記調節箱の左側端面を貫通しており、前記ネジ棒の左側端面には回転ブロックが固定的に装着される。
【０００７】
さらなる技術プランとして、前記伸長機構はまた前記伸長板の後側端面に固定的に装着された連結布を含み、前記連結布の中には着用穴が設置され、前記引掛り溝の後側には歯車チャンバが連通するように設置され、前記歯車チャンバの左右内壁の間には回転棒が回転できるように装着され、前記回転棒には第一歯車が固定的に装着され、前記第一歯車と前記引掛りブロックとが噛み合っており、前記歯車チャンバの後側にはスライドチャンバが連通するように設置され、前記スライドチャンバの中にはスライドブロックがスライドできるように装着され、前記スライドブロックと前記第一歯車とが噛み合っており、前記スライドチャンバの頂壁にはプッシュチャンバが連通するように設置され、前記スライドブロックが上に伸びて前記プッシュチャンバの底壁を貫通しており、前記スライドブロックの頂部端面にはプッシュブロックが固定的に装着され、前記プッシュブロックの底部端面と前記プッシュチャンバの底壁との間には撥条が固定的に装着される。
【０００８】
さらなる技術プランとして、前記空気流入機構はまた前記空気流入チャンバの左側に設置された噛合チャンバを含み、前記連結棒が左に伸びて前記噛合チャンバの右側内壁を貫通しており、前記伝動棒において前記噛合チャンバの中には第二歯車が固定的に装着され、前記連結棒の左側端面には第三歯車が固定的に装着され、前記第三歯車と前記第二歯車とが噛み合っており、前記伝動棒の左側端面にはノブが固定的に装着され、前記連結棒と前記伝動棒において前記空気流入チャンバの中には制御板が固定的に装着される。
【発明の効果】
【０００９】
本発明の有益効果は：本発明は空気流入機構は顔面マスクの開口の大きさを調節することを通じて空気流入量を調節でき、使用者の方は自由に空気流入量を調えられ、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止でき、普及に値する。
【図面の簡単な説明】
【００１０】
【図１】図１は本発明の構成略図
【図２】図２は図１のＡ―Ａ方向の断面構成略図
【図３】図３は図１のＢの拡大略図
【発明を実施するための形態】
【００１１】
以下に図１−３を交えて本発明について詳しく説明し、便利に叙述するため、後文に出る方位を下記の通りに規定する：後文に出る上下左右前後方向は図１本体の投影関係の上下左右前後方向と一致する。
【００１２】
図１−３を参照し、本発明の調節可能な顔面マスクは、本体１１を含み、前記本体１１の前側端面には鼻間隙間を調節できる調節機構７０が左右に対称的に設置され、前記調節機構７０は前記本体１１の前側端面に固定的に装着された調節箱１８を含み、前記調節箱１８の中にはネジ山チャンバ１４が設置され、前記ネジ山チャンバ１４の中にはネジ山ブロック１５がスライドできるように装着され、前記ネジ山ブロック１５には綿ローン１６が固定的に装着され、前記綿ローン１６は前記ネジ山ブロック１５に連動して左右に移動して前記綿ローン１６と鼻との間の隙間を調節でき、前記本体１１の左右両側には前記本体１１の長さを調節できる伸長機構９０が設置され、前記伸長機構９０には前記本体１１の中に設置され且つ後に開いた位置制限チャンバ２４が含まれ、前記位置制限チャンバ２４の中には伸長板２１がスライドできるように装着され、前記伸長板２１の頂部端面には位置制限ブロック３３が固定的に装着され、前記位置制限チャンバ２４の頂壁には引掛り溝２５が連通するように設置され、前記引掛り溝２５の中には引掛りブロック２６がスライドできるように装着され、前記引掛りブロック２６を上下にスライドするように制御することで、前記伸長板２１の前記位置制限チャンバ２４でのスライドする距離を調節して前記本体１１の長さを調節でき、前記本体１１の前側端面において前記調節機構７０の下方には空気流入量を調節できる空気流入機構８０が設置され、前記空気流入機構８０は前記本体１１の前側端面に固定的に装着された空気流入箱４０を含み、前記空気流入箱４０の中には前記本体１１に連通した空気流入チャンバ３９が設置され、前記空気流入チャンバ３９の右側内壁の中には前記空気流入箱４０の左側端面を貫通した伝動棒３４が回転できるように装着され、前記空気流入チャンバ３９において前記伝動棒３４の上下両側には連結棒４２が回転できるように装着され、前記伝動棒３４と前記連結棒４２とを回すことで空気流入量を調節できる。
【００１３】
左側の前記調節機構７０で説明し、前記調節機構７０にはまた前記ネジ山ブロック１５の中に設置され且つ左に開いたネジ穴１７が含まれ、前記ネジ穴１７の中にはネジ棒１３がネジ山によって装着され、前記ネジ棒１３が左に伸びて前記調節箱１８の左側端面を貫通しており、前記ネジ棒１３の左側端面には回転ブロック１２が固定的に装着され、
回転ブロック１２を回転させてネジ棒１３を回転連動させ、ネジ棒１３が回転してネジ山ブロック１５を移動連動させ、ネジ山ブロック１５が移動して綿ローン１６を移動連動させ、綿ローン１６と鼻との間の隙間を調節する。
【００１４】
前記伸長機構９０はまた前記伸長板２１の後側端面に固定的に装着された連結布１９を含み、前記連結布１９の中には着用穴２０が設置され、前記引掛り溝２５の後側には歯車チャンバ２３が連通するように設置され、前記歯車チャンバ２３の左右内壁の間には回転棒２８が回転できるように装着され、前記回転棒２８には第一歯車２７が固定的に装着され、前記第一歯車２７と前記引掛りブロック２６とが噛み合っており、前記歯車チャンバ２３の後側にはスライドチャンバ２２が連通するように設置され、前記スライドチャンバ２２の中にはスライドブロック３２がスライドできるように装着され、前記スライドブロック３２と前記第一歯車２７とが噛み合っており、前記スライドチャンバ２２の頂壁にはプッシュチャンバ２９が連通するように設置され、前記スライドブロック３２が上に伸びて前記プッシュチャンバ２９の底壁を貫通しており、前記スライドブロック３２の頂部端面にはプッシュブロック３０が固定的に装着され、前記プッシュブロック３０の底部端面と前記プッシュチャンバ２９の底壁との間には撥条３１が固定的に装着され、
プッシュブロック３０を押し、スライドブロック３２を下に移動連動させ、スライドブロック３２が噛合によって第一歯車２７を回転連動させ、第一歯車２７が回転して引掛りブロック２６を上に移動連動させ、連結布１９を引き動かして伸長板２１を後に移動連動させ、プッシュブロック３０を放し、引掛りブロック２６と位置制限ブロック３３とが引っ掛る。
【００１５】
前記空気流入機構８０はまた前記空気流入チャンバ３９の左側に設置された噛合チャンバ３８を含み、前記連結棒４２が左に伸びて前記噛合チャンバ３８の右側内壁を貫通しており、前記伝動棒３４において前記噛合チャンバ３８の中には第二歯車３６が固定的に装着され、前記連結棒４２の左側端面には第三歯車３７が固定的に装着され、前記第三歯車３７と前記第二歯車３６とが噛み合っており、前記伝動棒３４の左側端面にはノブ３５が固定的に装着され、前記連結棒４２と前記伝動棒３４において前記空気流入チャンバ３９の中には制御板４１が固定的に装着され、
ノブ３５を回して伝動棒３４を回転連動させ、伝動棒３４が回転して第二歯車３６を回転連動させ、第二歯車３６が噛合によって第三歯車３７を回転連動させ、第三歯車３７が回転して連結棒４２を回転連動させて制御板４１を回転させ、空気流入チャンバ３９の開口の大きさを調節し、空気入流量を調節する。
【００１６】
使用する時、回転ブロック１２を回転させ、ネジ棒１３を回転連動させ、ネジ棒１３が回転してネジ山ブロック１５を移動連動させ、ネジ山ブロック１５が移動して綿ローン１６を移動連動させ、綿ローン１６と鼻との間の隙間を調節し、プッシュブロック３０を押してスライドブロック３２を下に移動連動させ、スライドブロック３２が噛合によって第一歯車２７を回転連動させ、第一歯車２７が回転して引掛りブロック２６を上に移動連動させ、連結布１９を引き動かし、伸長板２１を後に移動連動させ、プッシュブロック３０を放し、引掛りブロック２６と位置制限ブロック３３とが引っかかて止められ、本体１１の長さを調節し、ノブ３５を回し、伝動棒３４を回転連動させ、伝動棒３４が回転して第二歯車３６を回転連動させ、第二歯車３６が噛合によって第三歯車３７を回転連動させ、第三歯車３７が回転して連結棒４２を回転連動させて制御板４１を回転させ、空気流入チャンバ３９の開口の大きさを調節し、空気流入量を調節する。
【００１７】
本発明の有益効果は：本発明は空気流入機構は顔面マスクの開口の大きさを調節することを通じて空気流入量を調節でき、使用者の方は自由に空気流入量を調えられ、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止でき、普及に値する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年1月7日(2020.1.7)
【手続補正１】
【補正対象書類名】特許請求の範囲
【補正対象項目名】請求項２
【補正方法】変更
【補正の内容】
【請求項２】
前記調節機構は左右対称となるように二つ設置され、下記に左側の前記調節機構を説明し、右側の前記調節機構は左側の前記調節機構と同じ構造であり、前記調節機構にはまた前記ネジ山ブロックの中に設置され且つ左に開いたネジ穴が含まれ、前記ネジ穴の中にはネジ棒がネジ山によって装着され、前記ネジ棒が左に伸びて前記調節箱の左側端面を貫通しており、前記ネジ棒の左側端面には回転ブロックが固定的に装着され、
前記回転ブロックを回転させて前記ネジ棒を回転連動させ、前記ネジ棒が回転して前記ネジ山ブロックを移動連動させ、前記ネジ山ブロックが移動して前記綿ローンを移動連動させ、前記綿ローンと鼻との間の隙間を調節することを特徴とする請求項１に記載の調節可能な顔面マスク。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には調節可能な顔面マスクである。
【背景技術】
【０００２】
人々は出かける時、よく顔面マスクをつける。一般的な顔面マスクは、マスクと鼻の間の隙間を調節できず、メガネを掛けている人にとって、呼吸時の熱い息が隙間を通してレンズを霞ませ、視界が悪くなる上に、マスクの長さも調節できず、着用時耳が擦られて苦しんでいる人もいるのだろう。また、空気流入量も調節できないため、緊急事態に合う時、マスクを密封できない。
【先行技術文献】
【特許文献】
【０００３】
【特許文献１】中国特許出願公開第１０７９５２１５３号明細書
【発明の概要】
【発明が解決しようとする課題】
【０００４】
本発明の目的は調節可能な顔面マスクを提供し、上記の現在の技術中の問題を解決するのである。
【課題を解決するための手段】
【０００５】
本発明は以下の技術プランを通じて実現される：本発明の調節可能な顔面マスクは、本体を含み、前記本体の前側端面には鼻間隙間を調節できる調節機構が左右に対称的に設置され、前記調節機構は前記本体の前側端面に固定的に装着された調節箱を含み、前記調節箱の中にはネジ山チャンバが設置され、前記ネジ山チャンバの中にはネジ山ブロックがスライドできるように装着され、前記ネジ山ブロックには綿ローンが固定的に装着され、前記綿ローンは前記ネジ山ブロックに連動して左右に移動して前記綿ローンと鼻との間の隙間を調節でき、前記本体の左右両側には前記本体の長さを調節できる伸長機構が設置され、前記伸長機構には前記本体の中に設置され且つ後に開いた位置制限チャンバが含まれ、前記位置制限チャンバの中には伸長板がスライドできるように装着され、前記伸長板の頂部端面には位置制限ブロックが固定的に装着され、前記位置制限チャンバの頂壁には引掛り溝が連通するように設置され、前記引掛り溝の中には引掛りブロックがスライドできるように装着され、前記引掛りブロックを上下にスライドするように制御することで、前記伸長板の前記位置制限チャンバでのスライドする距離を調節して前記本体の長さを調節でき、前記本体の前側端面において前記調節機構の下方には空気流入量を調節できる空気流入機構が設置され、前記空気流入機構は前記本体の前側端面に固定的に装着された空気流入箱を含み、前記空気流入箱の中には前記本体に連通した空気流入チャンバが設置され、前記空気流入チャンバの右側内壁の中には前記空気流入箱の左側端面を貫通した伝動棒が回転できるように装着され、前記空気流入チャンバにおいて前記伝動棒の上下両側には連結棒が回転できるように装着され、前記伝動棒と前記連結棒とを回すことで空気流入量を調節できる。
【０００６】
さらなる技術プランとして、前記調節機構は左右対称となるように二つ設置され、下記に左側の前記調節機構を説明し、右側の前記調節機構は左側の前記調節機構と同じ構造であり、前記調節機構にはまた前記ネジ山ブロックの中に設置され且つ左に開いたネジ穴が含まれ、前記ネジ穴の中にはネジ棒がネジ山によって装着され、前記ネジ棒が左に伸びて前記調節箱の左側端面を貫通しており、前記ネジ棒の左側端面には回転ブロックが固定的に装着される。
【０００７】
さらなる技術プランとして、前記伸長機構はまた前記伸長板の後側端面に固定的に装着された連結布を含み、前記連結布の中には着用穴が設置され、前記引掛り溝の後側には歯車チャンバが連通するように設置され、前記歯車チャンバの左右内壁の間には回転棒が回転できるように装着され、前記回転棒には第一歯車が固定的に装着され、前記第一歯車と前記引掛りブロックとが噛み合っており、前記歯車チャンバの後側にはスライドチャンバが連通するように設置され、前記スライドチャンバの中にはスライドブロックがスライドできるように装着され、前記スライドブロックと前記第一歯車とが噛み合っており、前記スライドチャンバの頂壁にはプッシュチャンバが連通するように設置され、前記スライドブロックが上に伸びて前記プッシュチャンバの底壁を貫通しており、前記スライドブロックの頂部端面にはプッシュブロックが固定的に装着され、前記プッシュブロックの底部端面と前記プッシュチャンバの底壁との間には撥条が固定的に装着される。
【０００８】
さらなる技術プランとして、前記空気流入機構はまた前記空気流入チャンバの左側に設置された噛合チャンバを含み、前記連結棒が左に伸びて前記噛合チャンバの右側内壁を貫通しており、前記伝動棒において前記噛合チャンバの中には第二歯車が固定的に装着され、前記連結棒の左側端面には第三歯車が固定的に装着され、前記第三歯車と前記第二歯車とが噛み合っており、前記伝動棒の左側端面にはノブが固定的に装着され、前記連結棒と前記伝動棒において前記空気流入チャンバの中には制御板が固定的に装着される。
【発明の効果】
【０００９】
本発明の有益効果は：本発明は空気流入機構は顔面マスクの開口の大きさを調節することを通じて空気流入量を調節でき、使用者の方は自由に空気流入量を調えられ、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止でき、普及に値する。
【図面の簡単な説明】
【００１０】
【図１】図１は本発明の構成略図
【図２】図２は図１のＡ―Ａ方向の断面構成略図
【図３】図３は図１のＢの拡大略図
【発明を実施するための形態】
【００１１】
以下に図１−３を交えて本発明について詳しく説明し、便利に叙述するため、後文に出る方位を下記の通りに規定する：後文に出る上下左右前後方向は図１本体の投影関係の上下左右前後方向と一致する。
【００１２】
図１−３を参照し、本発明の調節可能な顔面マスクは、本体１１を含み、前記本体１１の前側端面には鼻間隙間を調節できる調節機構７０が左右に対称的に設置され、前記調節機構７０は前記本体１１の前側端面に固定的に装着された調節箱１８を含み、前記調節箱１８の中にはネジ山チャンバ１４が設置され、前記ネジ山チャンバ１４の中にはネジ山ブロック１５がスライドできるように装着され、前記ネジ山ブロック１５には綿ローン１６が固定的に装着され、前記綿ローン１６は前記ネジ山ブロック１５に連動して左右に移動して前記綿ローン１６と鼻との間の隙間を調節でき、前記本体１１の左右両側には前記本体１１の長さを調節できる伸長機構９０が設置され、前記伸長機構９０には前記本体１１の中に設置され且つ後に開いた位置制限チャンバ２４が含まれ、前記位置制限チャンバ２４の中には伸長板２１がスライドできるように装着され、前記伸長板２１の頂部端面には位置制限ブロック３３が固定的に装着され、前記位置制限チャンバ２４の頂壁には引掛り溝２５が連通するように設置され、前記引掛り溝２５の中には引掛りブロック２６がスライドできるように装着され、前記引掛りブロック２６を上下にスライドするように制御することで、前記伸長板２１の前記位置制限チャンバ２４でのスライドする距離を調節して前記本体１１の長さを調節でき、前記本体１１の前側端面において前記調節機構７０の下方には空気流入量を調節できる空気流入機構８０が設置され、前記空気流入機構８０は前記本体１１の前側端面に固定的に装着された空気流入箱４０を含み、前記空気流入箱４０の中には前記本体１１に連通した空気流入チャンバ３９が設置され、前記空気流入チャンバ３９の右側内壁の中には前記空気流入箱４０の左側端面を貫通した伝動棒３４が回転できるように装着され、前記空気流入チャンバ３９において前記伝動棒３４の上下両側には連結棒４２が回転できるように装着され、前記伝動棒３４と前記連結棒４２とを回すことで空気流入量を調節できる。
【００１３】
前記調節機構７０は左右対称となるように二つ設置され、下記に左側の前記調節機構７０を説明し、右側の前記調節機構７０は左側の前記調節機構７０と同じ構造であり、、前記調節機構７０にはまた前記ネジ山ブロック１５の中に設置され且つ左に開いたネジ穴１７が含まれ、前記ネジ穴１７の中にはネジ棒１３がネジ山によって装着され、前記ネジ棒１３が左に伸びて前記調節箱１８の左側端面を貫通しており、前記ネジ棒１３の左側端面には回転ブロック１２が固定的に装着され、
回転ブロック１２を回転させてネジ棒１３を回転連動させ、ネジ棒１３が回転してネジ山ブロック１５を移動連動させ、ネジ山ブロック１５が移動して綿ローン１６を移動連動させ、綿ローン１６と鼻との間の隙間を調節する。
【００１４】
前記伸長機構９０はまた前記伸長板２１の後側端面に固定的に装着された連結布１９を含み、前記連結布１９の中には着用穴２０が設置され、前記引掛り溝２５の後側には歯車チャンバ２３が連通するように設置され、前記歯車チャンバ２３の左右内壁の間には回転棒２８が回転できるように装着され、前記回転棒２８には第一歯車２７が固定的に装着され、前記第一歯車２７と前記引掛りブロック２６とが噛み合っており、前記歯車チャンバ２３の後側にはスライドチャンバ２２が連通するように設置され、前記スライドチャンバ２２の中にはスライドブロック３２がスライドできるように装着され、前記スライドブロック３２と前記第一歯車２７とが噛み合っており、前記スライドチャンバ２２の頂壁にはプッシュチャンバ２９が連通するように設置され、前記スライドブロック３２が上に伸びて前記プッシュチャンバ２９の底壁を貫通しており、前記スライドブロック３２の頂部端面にはプッシュブロック３０が固定的に装着され、前記プッシュブロック３０の底部端面と前記プッシュチャンバ２９の底壁との間には撥条３１が固定的に装着され、
プッシュブロック３０を押し、スライドブロック３２を下に移動連動させ、スライドブロック３２が噛合によって第一歯車２７を回転連動させ、第一歯車２７が回転して引掛りブロック２６を上に移動連動させ、連結布１９を引き動かして伸長板２１を後に移動連動させ、プッシュブロック３０を放し、引掛りブロック２６と位置制限ブロック３３とが引っ掛る。
【００１５】
前記空気流入機構８０はまた前記空気流入チャンバ３９の左側に設置された噛合チャンバ３８を含み、前記連結棒４２が左に伸びて前記噛合チャンバ３８の右側内壁を貫通しており、前記伝動棒３４において前記噛合チャンバ３８の中には第二歯車３６が固定的に装着され、前記連結棒４２の左側端面には第三歯車３７が固定的に装着され、前記第三歯車３７と前記第二歯車３６とが噛み合っており、前記伝動棒３４の左側端面にはノブ３５が固定的に装着され、前記連結棒４２と前記伝動棒３４において前記空気流入チャンバ３９の中には制御板４１が固定的に装着され、
ノブ３５を回して伝動棒３４を回転連動させ、伝動棒３４が回転して第二歯車３６を回転連動させ、第二歯車３６が噛合によって第三歯車３７を回転連動させ、第三歯車３７が回転して連結棒４２を回転連動させて制御板４１を回転させ、空気流入チャンバ３９の開口の大きさを調節し、空気入流量を調節する。
【００１６】
使用する時、回転ブロック１２を回転させ、ネジ棒１３を回転連動させ、ネジ棒１３が回転してネジ山ブロック１５を移動連動させ、ネジ山ブロック１５が移動して綿ローン１６を移動連動させ、綿ローン１６と鼻との間の隙間を調節し、プッシュブロック３０を押してスライドブロック３２を下に移動連動させ、スライドブロック３２が噛合によって第一歯車２７を回転連動させ、第一歯車２７が回転して引掛りブロック２６を上に移動連動させ、連結布１９を引き動かし、伸長板２１を後に移動連動させ、プッシュブロック３０を放し、引掛りブロック２６と位置制限ブロック３３とが引っかかて止められ、本体１１の長さを調節し、ノブ３５を回し、伝動棒３４を回転連動させ、伝動棒３４が回転して第二歯車３６を回転連動させ、第二歯車３６が噛合によって第三歯車３７を回転連動させ、第三歯車３７が回転して連結棒４２を回転連動させて制御板４１を回転させ、空気流入チャンバ３９の開口の大きさを調節し、空気流入量を調節する。
【００１７】
本発明の有益効果は：本発明は空気流入機構は顔面マスクの開口の大きさを調節することを通じて空気流入量を調節でき、使用者の方は自由に空気流入量を調えられ、伸長機構によって本体の長さを調えられ、長時間の着用で耳がすられて苦しむことを防止でき、調節機構によって顔面マスクと使用者の鼻との間の隙間を調節でき、空気が隙間から入る又は隙間から吐かれた息によって使用者の視界が悪くなるのを防止でき、普及に値する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。